(57)【要約】【課題】部分開き容器において、蓋体を所定の開き角度を維持して保持できると共に、蓋体を更に開く方向に外力が作用しても、容器本体を転倒させることのない蓋付き容器を提供すること。【解決手段】容器本体１と、容器本体１にヒンジ３により開閉自在に付設される蓋体２と、蓋体２が開く際、容器本体１の後側板１３の側面と当接し、蓋体２を所定の開き角度に保持する、蓋体２に付設される薄板状片４と、を有する蓋付き容器１０。【選択図】図４
2019182436.tif 000002
【特許請求の範囲】
【請求項１】
容器本体と、
該容器本体にヒンジにより開閉自在に付設される蓋体と、
該蓋体が開く際、該容器本体の後側板の外面部と当接し、該蓋体を所定の開き角度に保持する、該蓋体に付設される薄板状片と、を有することを特徴とする蓋付き容器。
【請求項２】
該所定の開き角度が、該容器本体の開口面と該蓋体で形成される内角度で、９０度〜１２０度であることを特徴とする請求項１記載の蓋付き容器。
【請求項３】
該薄板状片が当接する該後側板の外面部は、鉛直面又は小突起であることを特徴とする請求項１又は２記載の蓋付き容器。
【請求項４】
該後側板の外面部は、鉛直面であって、蓋体の所定開き角度の保持は、該薄板状片の外側面側の先端角と該後側板の鉛直面の当接によることを特徴とする請求項１〜３のいずれか１項に記載の蓋付き容器。
【請求項５】
該後側板の外面部は、小突起であって、蓋体の所定開き角度の保持は、該薄板状片の内側面側の先端角と該後側板の小突起の当接によることを特徴とする請求項１〜３のいずれか１項に記載の蓋付き容器。
【請求項６】
該薄板状片と該後側板の外面部の当接は、所定の保持状態から蓋体を開く方向に更に手で回動させると、該当接が解除される当接強さであり、所定の開き角度以上である全開状態の蓋体を閉じる際、該薄板状片と該後側板の外面部とは、当たって止まることなく、蓋体が閉じるものであることを特徴とする請求項１〜４のいずれか１項に記載の蓋付き容器。
【請求項７】
該薄板状片は、側面視において、該蓋体の後側板の該ヒンジの軸芯より上方位置から該ヒンジの軸芯より外側に延びて下方に屈曲し、ヒンジ回転方向に可撓性を有するものであることを特徴とする請求項１〜６のいずれか１項に記載の蓋付き容器。
【請求項８】
該薄板状片と該後側板の外面部の当接は、当接点を通る縦断面において、該薄板状片と該後側板の鉛直面との成す外角度が、８０±５度であることを特徴とする請求項４に記載の蓋付き容器。
【発明の詳細な説明】
【技術分野】
【０００１】
本発明は、容器本体に対して蓋体が所定の開き角度で保持されると共に、意に反して、蓋体に対し、蓋体を開く方向に外力が作用しても、容器本体が倒れず、蓋体のみが更に開いて、容器本体の転倒を防止する蓋付き容器に関するものである。
【背景技術】
【０００２】
小物入れ容器、与薬容器、工具箱などの容器は、概ね長さ２５０〜３５０ｍｍ、奥行１８０ｍｍ〜２８０ｍｍ、高さ８０〜２５０ｍｍであり、蓋付き容器が使用されることが多い。蓋体は、通常、容器本体に対して、公知のヒンジで連結されており、蓋体が開いた状態においても、蓋体は容器本体に接続されている。
【０００３】
このような蓋付き容器は、蓋体を開いた状態が、容器本体の開口面に対して、蓋体が１８０度以上開く、全開容器及び容器本体の開口面に対して、蓋体が９０〜１２０度程度開く、部分開き容器が知られている。全開容器は、容器本体の中身を取り出す際、取り出し易い反面、場所を採ることが欠点である。従って、与薬容器など、室内の限られた場所で使用するものは、場所を採らないことから部分開き容器を使用することが多い。
【先行技術文献】
【特許文献】
【０００４】
【特許文献１】特開２００３−２２６３４５号公報
【発明の開示】
【発明が解決しようとする課題】
【０００５】
しかしながら、部分開き容器の場合、蓋体が立っているため、意に反して、作業者の肘が当たり、蓋体が倒れる場合がある。蓋体が容器本体の開口を閉める方向に倒れる場合は、大きな問題はないものの、蓋体が更に開く方向に倒れると、容器本体を転倒させることがある。従って、部分開き容器において、蓋体を所定の開き角度を維持して保持できると共に、蓋体を更に開く方向に外力が作用しても、容器本体を転倒させることのない蓋付き容器の開発が求められている。
【０００６】
なお、特開２００３−２２６３４５号公報には、容器本体と、この容器本体に回動自在にヒンジ結合される蓋体とを備えるヒンジ式開閉容器において、前記蓋体は、前記容器本体の複数箇所にヒンジ結合され、該蓋体に設けたヒンジ部にそれぞれ、ヒンジ部周りに沿って形成された溝を有するものである一方、前記容器本体は、該容器本体のヒンジ側部分に、これらの溝に対応する複数の舌片を一体に有するものであって、これらの舌片はそれぞれ、前記蓋体の回動に際し、前記溝に干渉することなく該溝の回動方向端縁を越えたヒンジ部周りに圧接するものであるヒンジ式開閉容器が開示されている。特開２００３−２２６３４５号公報のヒンジ式開閉容器は、蓋体が全開する全開容器であり、所定の開き角度を保持した蓋体が自重により容器本体の開口を閉める方向に回動することを防止するものであり、所定の開き角度を保持した蓋体を更に開く方向に外力が作用した場合を想定したものではない。
【０００７】
従って、本発明の目的は、部分開き容器において、蓋体を所定の開き角度を維持して保持できると共に、蓋体を更に開く方向に外力が作用しても、容器本体を転倒させることのない蓋付き容器を提供することにある。
【課題を解決するための手段】
【０００８】
すなわち、本発明は上記従来の課題を解決するものであって、容器本体と、該容器本体にヒンジにより開閉自在に付設される蓋体と、該蓋体が開く際、該容器本体の後側板の外面部と当接し、該蓋体を所定の開き角度に保持する、該蓋体に付設される薄板状片と、を有することを特徴とする蓋付き容器を提供するものである。
【０００９】
また、本発明は、該所定の開き角度が、該容器本体の開口面と該蓋体で形成される内角度で、９０度〜１２０度であることを特徴とする前記蓋付き容器を提供するものである。
【００１０】
また、本発明は、該薄板状片が当接する該後側板の外面部は、鉛直面又は小突起であることを特徴とする前記蓋付き容器を提供するものである。
【００１１】
また、本発明は、該後側板の外面部は、鉛直面であって、蓋体の所定開き角度の保持は、該薄板状片の外側面側の先端角と該後側板の鉛直面の当接によることを特徴とする前記蓋付き容器を提供するものである。
【００１２】
また、本発明は、該後側板の外面部は、小突起であって、蓋体の所定開き角度の保持は、該薄板状片の内側面側の先端角と該後側板の小突起の当接によることを特徴とする前記蓋付き容器を提供するものである。
【００１３】
また、本発明は、該薄板状片と該後側板の外面部の当接は、所定の保持状態から蓋体を開く方向に更に手で回動させると、該当接が解除される当接強さであり、所定の開き角度以上である全開状態の蓋体を閉じる際、該薄板状片と該後側板の外面部とは、当たって止まることなく、蓋体が閉じるものであることを特徴とする前記蓋付き容器を提供するものである。
【００１４】
また、本発明は、該薄板状片は、側面視において、該蓋体の後側板の該ヒンジの軸芯より上方位置から該ヒンジの軸芯より外側に延びて下方に屈曲し、ヒンジ回転方向に可撓性を有するものであることを特徴とする前記蓋付き容器を提供するものである。
【００１５】
また、本発明は、該薄板状片と該後側板の外面部の当接は、当接点を通る縦断面において、該薄板状片と該後側板の鉛直面との成す外角度が、８０±５度であることを特徴とする前記蓋付き容器を提供するものである
【発明の効果】
【００１６】
本発明によれば、容器本体に対して蓋体が所定の開き角度で保持されるため、作業がし易い。また、意に反して、蓋体に対し、蓋体を開く方向に外力が作用しても、蓋体のみが更に開いて、容器本体の転倒を防止する。また、蓋体全開状態から蓋体を閉める際、薄板状片の先端が後側板の側面に僅かに当たっても撓むため、ほとんど当たった感触がなく、円滑に閉めることができる。このため、室内の限られた場所で使用する与薬容器において都合がよい。
【図面の簡単な説明】
【００１７】
【図１】本発明の実施の形態における蓋体が閉じた蓋付き容器の斜視図である。
【図２】図１の蓋付き容器の蓋体が半開き状態の斜視図である。
【図３】図１の蓋付き容器の蓋体が全開状態（展開状態）の斜視図である。
【図４】図１の蓋付き容器のヒンジ部を後ろ側から見た部分拡大図である。
【図５】図１の蓋付き容器の蓋体が閉まった状態におけるヒンジ部の縦断面図である。
【図６】図１の蓋付き容器の蓋体が半開き状態におけるヒンジ部の縦断面図である。
【図７】図１の蓋付き容器の蓋体が全開状態（展開状態）におけるヒンジ部の縦断面図である。
【図８】図１の蓋付き容器の全開状態の蓋体を閉める状態におけるヒンジ部の縦断面図である。
【図９】図１の蓋付き容器の蓋体を開く場合の薄板状片の動きを説明する図である。
【図１０】図１の蓋付き容器の蓋体を閉める場合の薄板状片の動きを説明する図である。
【図１１】本発明の他の実施の形態における蓋体が半開き状態におけるヒンジ部の縦断面図である。
【図１２】図１１の蓋体の薄板状片と後側板との当接部分の拡大断面図である。
【発明を実施するための形態】
【００１８】
次に、本発明の実施の形態における蓋付き容器を図１〜図１０を参照して説明する。蓋付き容器１０は、容器本体１と、容器本体１にヒンジ３により開閉自在に付設される蓋体２とを有する。本発明において、蓋付き容器としては、好ましくは、持ち運びができるものであり、例えば小物入れ容器、与薬用容器及び工具箱などが挙げられる。与薬用容器とは、入院患者等に配薬する医薬品類を、患者、日時毎に、個別に収容する容器を複数個、収納した容器である。
【００１９】
蓋付き容器１０において、容器本体１は、底板１１ａ及び４つの側板１１、１２、１２、１３を有し、天板のない箱状容器である。また、蓋体２は、天板２１ａ及び４つの側板２１、２２、２２、２３を有し、底板のないものである。
【００２０】
蓋付き容器１０において、容器本体１と蓋体２を接続するヒンジ３としては、図４に示すような軸孔１４１、１４１を有する左右一対の第１支持部１４、１４と、軸孔１４１に回転自在に嵌合する軸突起３１、３１を有する左右一対の第２支持部６、６を有するヒンジ３が挙げられる。すなわち、本例では、図４に示すように、第１支持部１４、１４は容器本体の後側板１３の外側面の上部に、且つ後側板１３の長手方向に所定の寸法で離れて対峙するように付設される一対の板状体である。軸孔１４１、１４１は、この第１支持部１４、１４の上部において、後側板１３の長手方向に貫通して形成されたものである。第２支持部６、６は、蓋体２の後側板２３の外側面の下部に、且つ後側板２３の長手方向に所定の寸法で離れて対峙するように付設される一対の板状体である。軸突起３１、３１は、この第２支持部６、６の下部において、後側板１３の長手方向に短く延びる円筒状突起として形成されたものである。第１支持部１４、１４の内寸法は、第２支持部６、６の外寸法と略同じ又は少し大である。このヒンジ３は、蓋付き容器１０において、後側板１３、２３の長手方向に所定の寸法で離れて２箇所に付設されている。これにより、蓋付き容器１０において、蓋体２は、容器本体１に対して片開きができる。
【００２１】
蓋付き容器１０において、容器本体１の後側板１３の薄板状片４の先端が当たる部分（外面部）は、後側板１３の表面から少し突出した微小突起５となっている。すなわち、微小突起５は、側面視において鉛直面（先端面）を有するものである。微小突起５の突起高さは、薄板状片４の形状により適宜決定される。また、本発明においては、微小突起５がないものであってもよい。この場合、リンク軸中心の位置及び薄板状片４の長さを適宜決定すればよい。
【００２２】
ヒンジ３のヒンジ軸中心３１は、微小突起５の鉛直面から長さｈ２分、外側に位置している。また、ヒンジ軸中心３１は、容器本体１の上端近傍に形成されている。これにより、蓋体２は、容器本体１に蓋することができ、且つ蓋体２の薄板状片４と微小突起面との僅かな当たりを実現することができる。
【００２３】
蓋付き容器１０において、蓋体２の後側板２３のヒンジ３の近傍には、薄板状片４が形成されている。薄板状片４は、本例では、蓋体２の第２支持部６、６間に形成されている。薄板状片４をヒンジ部近傍に形成することで、薄板状片４と容器本体１の後側板の外面部（微小突起の鉛直面）との僅かな当たりを実現することができる。僅かな当たりとは、部分開きの蓋体２を支える支持力はあるものの、更に蓋体２に開く方向に外力が作用すると、部分開きの蓋体２を支持できず、更に開いてしまう当たりを言う。薄板状片４は、側面視において蓋体２のヒンジの軸芯３１より上方の後側板２３からヒンジ３の軸芯３１より外側に延びる水平部４１と、更に下方に屈曲する鉛直部４２とからなる、内側にヒンジの軸芯３１が位置する略Ｊ字形状である。このため、薄板状片４の鉛直部４２の先端部は、ヒンジ回転方向、特に、外力により内側に撓む可撓性を有する。薄板状片４は、樹脂製とすることが、容器本体の後側板との当たり強さを制御し易い点で好ましい。
【００２４】
薄板状片４の鉛直部４２の厚みとしては、特に制限されないが、例えば、０．５ｍｍ〜３ｍｍの間で適宜決定される。薄板状片４の鉛直部４２の厚みは、均一な厚みに限定されず、先端に向けて先細りとなる不均一厚みの形状であってもよい。薄板状片４の鉛直部４２は、蓋体２が閉まった状態において、上下方向に延び、先端が下方を向く舌片である。すなわち、薄板状片４の鉛直部４２は、ヒンジの軸芯３１から水平方向にｈ３離れている。寸法ｈ３としては、３〜７ｍｍである。寸法ｈ３が小さすぎると、薄板状片４の容器本体１の後側板に当たらなくなり、大きすぎると、蓋体２からの出っ張りが大となり、蓋付き容器１０としての使用勝手が悪くなる。これにより、容器本体１の微小突起５は、ヒンジの軸芯３１からの下方向にｈ３離れた位置近傍に形成されることになる。
【００２５】
また、薄板状片４の鉛直部４２の先端は、ヒンジの軸芯３１からの下方向にｈ１離れている。寸法ｈ１が小さすぎると、薄板状片４の容器本体１の後側板に当たらなくなり、大きすぎると、蓋体２からの出っ張りが大となり、蓋付き容器１０としての使用勝手が悪くなる。寸法ｈ１と寸法ｈ２はほぼ同じ、若しくは寸法ｈ１は寸法ｈ２より０．０１〜１ｍｍ程度、小である。これにより、薄板状片４と容器本体１の後側板（微小突起の鉛直面）との僅かな当たりを実現することができる。
【００２６】
蓋付き容器１０において、蓋体２が開く際、薄板状片４の先端と容器本体１の後側板１３の外側部とは当接し、蓋体２を所定の開き角度に保持する。所定の開き角度としては、容器本体１の開口面と蓋体２で形成される内角度（α）で、９０度〜１２０度である。これにより、蓋付き容器１０を使用する際、開口を開き過ぎず、場所を採らない。また、蓋体２の所定開き角度の保持は、薄板状片４の外側面側の先端角（カド）４４と後側板１３の外面部（本例では、微小突起の鉛直面）の当接によるものが好ましい。これにより、薄板状片４の先端と容器本体１の後側板１３の外面部とは略鉛直姿勢の蓋体２の自重を支える程度の小さな支持力で当接している。すなわち、薄板状片４と後側板１３の外面部の当接は、所定の保持状態から蓋体２を開く方向に更に手などの押し力が作用すると、当接が解除される当接強さである。これにより、蓋体２を更に開く方向に外力（例えば作業者の肘）が作用しても、蓋体２が開く方向に倒れるため、容器本体１を転倒させることはない。このように、薄板状片４の先端の容器本体１に対する小さな当たりは、蓋体２の自重を支える支持力を有すると共に、それ以上の大きな作用力より小さな支持力である。これは、内側に屈曲する可撓性のある薄板状片４を形成したため、図９に示すように、Ｘ方向の回転に対して、薄板状片４の鉛直部４２（図９では水平に寝ている）の先端が外側に撓み難いため、当接位置で蓋体２の自重を支え停止している。
【００２７】
一方、薄板状片４の先端４３と後側板１３の外面部の当接が所定の開き角度以上である全開状態の蓋体２を閉じる際、薄板状片４と後側板１３の側面とは、当接して止まることなく、蓋体が閉じることになる（図１０）。これは、図１０に示すように、Ｙ方向の回転に対して、薄板状片４の鉛直部４２（図９では水平に寝ている）の先端が内側に撓み易いためと思われる。
【００２８】
蓋付き容器１０において、薄板状片４と後側板１３の側面の当接は、当接点を通る縦断面において、薄板状片と後側板の側面との成す外角度（β）が、８０±５度、好ましくは、８０±２度である（図６参照）。薄板状片と後側板の側面との成す外角度（β）が、大きすぎると、蓋体２を所定の開き角度に保持することはできるものの、支持力が強すぎて、蓋体２を更に開く方向に外力（例えば作業者の肘）が作用すると、蓋体２が開く方向に倒れず、容器本体１を転倒させることになる。一方、薄板状片と後側板の側面との成す外角度（β）が、小さ過ぎると、蓋体２の自重を支えることができず、蓋体２の所定の開き角度に保持することはできない。
【００２９】
次に、蓋付き容器１０の使用方法について説明する。蓋付き容器１０は、不使用時、図１に示すように、蓋体２は閉じたままである（図１、図５）。蓋付き容器１０にハンドルがついている場合、持ち運びができる。次に、蓋付き容器１０の収納物を取り出し、作業などする場合、蓋体２を開ける。容器本体１に対して、蓋体２はヒンジで接続されており、蓋体２は、円滑に開く、蓋体２を開き続け、略９０度の開きとなった際、自重に任せて開けると、所定の開き角度（９０度〜１２０度）で蓋体２はその姿勢に保持される。これは、蓋体２の薄板状片４の先端４３が、容器本体１の後側板１３の微小突起の鉛直面に当たったためである（図２、図６）。薄板状片４と後側板１３の側面（外面部）の当接は、当接点を通る縦断面において、薄板状片と後側板の側面との成す外角度（β）が、８０±５度である。また、この当たり面積は小さいため、部分開きの蓋体２の自重を支える程度のものである。この半開き状態の蓋付き容器１０は、使用状態にあり、例えば、与薬用容器であれば、準備した入院患者等に配薬する医薬品類を整理して、収納する作業などを行う工程における容器状態である。
【００３０】
この半開き状態の蓋付き容器１０において、作業中、例えば作業者の肘が蓋体２に当たり、蓋体２を開ける方向に力が作用した場合、薄板状片４と後側板１３の側面の当接力は、解除され、容器本体１に対して、蓋体２は、更に開く方向に回転する。すなわち、薄板状片４の先端は、外力により撓みきれず、剛性が勝り、当接が外れることになる。そして、蓋体２の第２支持部６、６が容器本体１の突起８に当たるため、蓋体２は、略１８０度開いて止まる。このように、意図しない外力が蓋体２に作用しても、容器本体１が転倒することがない。
【００３１】
次に、全開状態の蓋付き容器１０を不使用時の状態に戻す。すなわち、全開状態の蓋付き容器１０の蓋体２を閉じる。この際、蓋体２が、蓋体２を開ける際の所定の開き角度位置に来ても、薄板状片４と後側板１３の側面は、極僅かに当たるものの、擦る程度であり、ほとんど抵抗なく、容器本体１の開口を蓋体２で閉めることができる（図８、図１０）。これは、図１０に示すように、Ｙ方向の回転に対して、薄板状片４の鉛直部４２（図９では水平に寝ている）の先端が内側に撓み易いため、薄板状片４と後側板１３の側面が当たっても擦る程度で滑り、抵抗なく蓋体２を閉めることができる。
【００３２】
蓋付き容器１０によれば、容器本体１に対して蓋体２が所定の開き角度で保持されると共に、意に反して、蓋体２に対し、蓋体２を開く方向に外力が作用しても、容器本体１が倒れず、蓋体２のみが更に開いて、容器本体の転倒を防止する。また、全開状態の蓋体２を閉める際は、途中、保持状態を経ることなく、閉めることができる。
【００３３】
次に、本発明の他の実施の形態例について、図１１及び図１２を参照して説明する。図１１及び１２において、図１〜図１０と同一構成要素には、同一符号を付して、その説明を省略し、異なる点について主に説明する。すなわち、図１１及び図１２の蓋付き容器１０ａにおいて、図１〜図１０の蓋付き容器１０と異なる点は、容器本体１の後側板１３の外面部を小突起５ａとした点である。すなわち、蓋付き容器１０ａの容器本体１の後側板１３の小突起５ａは、蓋付き容器１０の容器本体１の後側板１３の鉛直面を形成する微小突起の突起高さを僅かに低くし、且つ側面視が矩形状の微小突起の上端縁に高さが１〜３ｍｍ程度の小突起５ａを形成したものである。小突起５１ａは、側面視において、下部に、外側に上り傾斜の傾斜面５１ａを有する（図１２参照）。
【００３４】
蓋付き容器１０ａにおいて、蓋体２の薄板状片４の先端４３と小突起５ａの係止関係は次の通りである。すなわち、蓋付き容器１０ａの収納物を取り出し、作業などする場合、蓋体２を開ける。容器本体１に対して、蓋体２はヒンジで接続されており、蓋体２は、円滑に開く、蓋体２を開き続け、略９０度の開きとなった際、自重に任せて開けると、所定の開き角度（９０度〜１２０度）で蓋体２はその姿勢に保持される。これは、蓋体２の薄板状片４の内側面側の先端４３ａが、容器本体１の後側板１３の小突起５ａ傾斜面５１ａに当たったためである（図１２）。この当たりは小さいため、部分開きの蓋体２の自重を支える程度のものである。この半開き状態の蓋付き容器１０ａは、使用状態にあり、例えば、与薬用容器であれば、準備した入院患者等に配薬する医薬品類を整理して、収納する作業などを行う工程における容器状態である。
【００３５】
次に、全開状態の蓋付き容器１０ａを不使用時の状態に戻す。すなわち、全開状態の蓋付き容器１０ａの蓋体２を閉じる。この際、蓋体２が、蓋体２を開ける際の所定の開き角度位置に来ても、薄板状片４と後側板１３の外面部の小突起５ａは、極僅かに当たるものの、擦る程度であり、ほとんど抵抗なく、容器本体１の開口を蓋体２で閉めることができる。これは、Ｙ方向の回転に対して、薄板状片４の鉛直部４２の先端が内側に撓み易いため、薄板状片４と後側板１３の外面部が当たっても擦る程度で滑り、抵抗なく蓋体２を閉めることができる。
【００３６】
本発明において、容器本体又は蓋体の構造・形状は、上記実施の形態例に限定されず、楕円型容器、円形型容器、不定形状容器などが挙げられる。また、容器本体の微小突起は省略でき、薄板状片４が、直接、後側板１３の側面に当たるものであってもよい。また、容器本体１の微小突起の先端面である鉛直面は、厳密な鉛直は要求されず、少しの傾斜がある側面であってもよい。
【産業上の利用可能性】
【００３７】
本発明によれば、使用時には、容器本体に対して蓋体が所定の開き角度で保持される。意に反して、半開きの蓋体に対し、蓋体を開く方向に外力が作用しても、容器本体１が倒れず、蓋体２のみが更に開いて、容器本体の転倒を防止する。また、全開状態の蓋体２を閉める際は、途中、保持状態を経ることなく、ほぼ円滑に閉めることができる。このため、蓋付き容器を例えば、与薬用容器に使用すれば、狭い場所でも容器本体の転倒の心配がなく、安心して作業ができる。
【符号の説明】
【００３８】
１      容器本体
２      蓋体
３      ヒンジ
４      薄板状片
５      微小突起
６      第２支持体
１０、１０ａ      蓋付き容器
１３      容器本体の後側板
１４      第１支持体
２３      蓋体の後側板
３１      ヒンジの軸中心 
【図１】
2019182436.tif 000003
【図２】
2019182436.tif 000004
【図３】
2019182436.tif 000005
【図４】
2019182436.tif 000006
【図５】
2019182436.tif 000007
【図６】
2019182436.tif 000008
【図７】
2019182436.tif 000009
【図８】
2019182436.tif 000010
【図９】
2019182436.tif 000011
【図１０】
2019182436.tif 000012
【図１１】
2019182436.tif 000013
【図１２】
2019182436.tif 000014